(57)【要約】【課題】施工性を向上させることが可能な防爆環境用照明システムを提供する。【解決手段】点灯装置１６を収納し防爆構成とした器具本体１１と、器具本体の下方に設けられランプ２２を保持するソケットホルダ１４、１５とを有してトンネルに配設される防爆照明器具１０と；防爆照明器具に一端が接続され中にケーブルを配し防爆構成としたフレキシブルパイプ１９と；トンネル内側壁に設けられフレキシブルパイプの他端と電源線３２を接続する防爆構成とした端子台ボックス３０と；防爆構成の端子台ボックスを配設するケーブルラック４３と；を具備することを特徴とする防爆環境用照明システム６０を構成する。【選択図】        図８
2007311248.tif 000002
【特許請求の範囲】
【請求項１】
点灯装置を収納し防爆構成とした器具本体と、器具本体の下方に設けられランプを保持するソケットホルダとを有してトンネルに配設される防爆照明器具と；
防爆照明器具に一端が接続され中にケーブルを配し防爆構成としたフレキシブルパイプと；
トンネル内側壁に設けられフレキシブルパイプの他端と電源線を接続する防爆構成とした端子台ボックスと；
防爆構成の端子台ボックスを配設するケーブルラックと；
を具備することを特徴とする防爆環境用照明システム。
【請求項２】
照明器具はトンネルの横断方向に配設され、照明器具の一端に接続されるフレキシブルパイプはトンネル内側壁に沿わせて配設し、端子台ボックスは照明器具に対しトンネル長手方向にずらして配設される防爆環境用照明システム。
【発明の詳細な説明】
【技術分野】
【０００１】
本発明は、防爆環境等に使用される防爆環境用照明システムに関する。
【背景技術】
【０００２】
この種の防爆環境用照明システムに使用される防爆照明器具は、耐圧防爆照明器具や安全増防爆照明器具として構成され、地下に設けられたガス導管、電力ケーブル、通信ケーブル等を個々に配設した洞道や、これらを複数配設した共同溝からなるトンネルの照明を行うために使用されている。
【０００３】
この防爆照明器具の構成は、例えば、下記の特許文献１に示されるように、安定器を内蔵した防爆形の照明器具本体の両端に、円筒状のソケットホルダを配置し、両端のソケットホルダの間にランプ保護筒に装着してなる直管形蛍光ランプを配置して構成されている。
【特許文献１】特開平１１−５３９２９号公報
【発明の開示】
【発明が解決しようとする課題】
【０００４】
これら従来の防爆照明器具のトンネル内への設置工事は、トンネル天井に設置された２本のアンカーボルトでトンネルの壁面に固定することが一般的に行われている。
【０００５】
アンカーボルトに固定する作業では、約１０〜１５ｋｇ程度の重い防爆照明器具を支えながらボルト、ナットを締め付ける作業となるため、防爆照明器具を支えて保持する人とボルト、ナットを締め付ける人の最低２人が必要となり、作業性が悪く工事費のコストアップ要因ともなっている。
【０００６】
また、この種の防爆照明器具は、防爆照明器具に電源を供給するために、防爆照明器具と電源線を接続するためのフレキシブルパイプや端子台ボックスと組み合わされて防爆環境用照明システムを構成している。
【０００７】
この端子台ボックスのトンネル内への設置工事も、トンネル側壁等に設置されたアンカーボルトでトンネルの壁面に固定することが行われている。
【０００８】
トンネル壁面に設置する端子台ボックスへの配線作業は、防爆対応の工事が必要となり、電源線から金属管あるいは防爆対応フレキシブルチューブで保護した電源線を導入して端子台ボックスと結線するか、金属外装ケーブルを使用して導入し結線しなければならなかった。
【０００９】
このため、電源線のコストが上昇すると共に、これら金属管や金属外装ケーブルは非常に硬いもので、特に曲げ作業等、扱いが難しく困難な作業となり、防爆照明器具の取り付けなどのズレを補正することが困難であり、また重量も重くなることから運搬の面でも問題が生じていた。
【００１０】
本発明は、上述した問題、課題を解決することを目的とし、施工性を向上させることが可能な防爆環境用照明システムを提供しようとするものである。
【課題を解決するための手段】
【００１１】
請求項１に記載の防爆環境用照明システムの発明は、点灯装置を収納し防爆構成とした器具本体と、器具本体の下方に設けられランプを保持するソケットホルダとを有してトンネルに配設される防爆照明器具と；防爆照明器具に一端が接続され中にケーブルを配し防爆構成としたフレキシブルパイプと；トンネル内側壁に設けられフレキシブルパイプの他端と電源線を接続する防爆構成とした端子台ボックスと；防爆構成の端子台ボックスを配設するケーブルラックと；を具備することを特徴とする。
【００１２】
本発明によれば、防爆照明器具に一端が接続され中にケーブルを配し防爆構成としたフレキシブルパイプと、トンネル内側壁に設けられフレキシブルパイプの他端と電源線を接続する防爆構成とした端子台ボックスと、防爆構成の端子台ボックスを配設するケーブルラックにより、トンネルのケーブルラックを利用し、かつ簡易な作業で施工性を向上させることが可能な防爆環境用照明システムが構成される。
【００１３】
本発明において、防爆照明器具は、地下に設けられたガス導管、電力ケーブル、通信ケーブル等を配設した洞道や共同溝等からなるトンネルに使用され、防爆照明器具の「技術的基準」に適合したＩＥＣ整合耐圧防爆照明器具や「構造規格」に適合した耐圧防爆照明器具および安全増防爆照明器具等の防爆照明器具が許容されるが、これらに限らず、防爆環境等、防爆性を必要とする雰囲気内で使用されるすべての防爆照明器具が許容される。
【００１４】
本発明における「防爆構成」は、ＩＥＣ整合耐圧防爆照明器具や安全増防爆照明器具における、例えば、耐圧パッキング方式による密閉、ネジ結合による防爆隙間をもった気密構造等が許容される。
【００１５】
器具本体に収納される点灯装置は、インバータ形の電子安定器を有する点灯回路でも、樹脂封止形の安定器で構成された点灯装置等でもよく、その構成は特定の手段に限定されない。
【００１６】
ソケットホルダは、ランプが直管形の蛍光ランプなど口金を２個有する形式の場合には、２個の口金に対応したソケットでランプを保持するために、器具本体の両端部下方に設けられるが、白熱電球や電球形蛍光ランプ等、口金が１個の場合には、１個の口金に対応したソケットを保持するために、器具本体の下方に設ければよく、要はランプの形式に合わせ器具本体の下方にランプを保持するように設けられていればよい。
【００１７】
ランプは、直管形の蛍光ランプが一般的であるが、メタルハライドランプ、ナトリウムランプ、水銀ランプ等のＨＩＤランプでも、さらには白熱電球、電球形蛍光ランプ、ＬＥＤを光源としたものなど、ソケットホルダに保持される全てのランプが許容される。
【００１８】
防爆構成の端子台ボックスを配設するケーブルラックは、電力ケーブル用のケーブルラックでも通信ケーブル用のケーブルラックでも、さらには他の用途のケーブルラックであってもよい。
【００１９】
請求項２に記載の防爆環境用照明システムの発明は、照明器具はトンネルの横断方向に配設され、照明器具の一端に接続されるフレキシブルパイプはトンネル内側壁に沿わせて配設し、端子台ボックスは照明器具に対しトンネル長手方向にずらして配設される。
【発明の効果】
【００２０】
請求項１の発明によれば、防爆照明器具に一端が接続され中にケーブルを配し防爆構成としたフレキシブルパイプと、トンネル内側壁に設けられフレキシブルパイプの他端と電源線を接続する防爆構成とした端子台ボックスと、防爆構成の端子台ボックスを配設するケーブルラックにより、トンネルのケーブルラックを利用し、かつ簡易な作業で施工性を向上させることが可能な防爆環境用照明システムを提供することができる。
【００２１】
請求項２の発明によれば、端子台ボックスは照明器具に対しトンネル長手方向にずらして配設されるので、端子台ボックスをメンテナンスするときに、影にならずに作業することができ、より一層施工性を向上させることが可能な防爆環境用照明システムを提供することができる。
【発明を実施するための最良の形態】
【００２２】
以下、本発明の防爆環境用照明システムの実施形態につき説明する。
【実施例１】
【００２３】
本実施例の防爆環境用照明システムに使用される防爆照明器具は、ＩＥＣ整合耐圧防爆照明器具として構成したもので、その構成を図１〜図９に従い説明する。
【００２４】
１０は耐圧防爆照明器具で、防爆構成とした器具本体１１、器具本体の両端部に設けられた防爆空間を構成し、少なくとも一端が着脱可能なボックス１２、１３、器具本体の両端部下方に設けられたソケットホルダ１４、１５で構成する。
【００２５】
器具本体１１は、アルミニウム材の押し出し成形で円筒状をなす箱体に形成し、内部に点灯装置１６およびダウントランス１７が収納設置される。
【００２６】
点灯装置１６は、電子式の１００〜２００Ｖ、あるいは１００〜２４２Ｖ間の任意の電圧フリー構成の点灯回路で構成される。
【００２７】
ダウントランス１７は、入力が４８０〜４５０Ｖで出力が２１０〜２４０Ｖのダウン率を有している。
【００２８】
ボックス１２、１３は、器具本体１１と同様に、アルミニウム材の押し出し成形で断面が蒲鉾形の筒状をなす箱体１２ａ、１３ａに形成する。
【００２９】
箱体１２ａ、１３ａは、一端に側板１２ｂ、１３ｂを設けて閉塞すると共に、他端に円筒状の開口部１２ｃ、１３ｃを一体に形成し、さらに側板の外面に円筒皿状をなす取付部１２ｄ、１３ｄを一体に形成し、器具本体１１の円筒状をなす箱体の両端部がネジ結合により取り付けられる。
【００３０】
図２中右側（（ａ）図）は右ネジ、左側（（ｂ）図）は左ネジで構成し、着脱が可能でかつ防爆隙間が形成されるように取り付けられる。これにより、器具本体１１の両端部にボックス１２、１３が一体的に連接して設けられ、それぞれに防爆構造の空間が構成される。
【００３１】
左右の箱体１２ａ、１３ａは同一の形状をなし、共通の部品として構成する。
【００３２】
また、器具本体１１は、両端にボックス１２、１３の側板１２ｂ、１３ｂを配して防爆構造の空間を構成し、ボックスの側板と器具本体の側板を共通化して構成する。
【００３３】
右側の箱体１２ａは、結線ボックス１８を構成するもので、その開口部１２ｃには、蓋体をなす円板状の端板１２ｅがネジ結合によって取り付けられ、着脱が可能でかつ防爆隙間が形成されるように取り付けられ、防爆構造の空間を構成し、一端が着脱可能なボックスとして構成される。
【００３４】
端板１２ｅの円形中心部には、後述する端子台ボックス３０に接続されるフレキシブルパイプ１９の一端を箱体１２ａ内に導入させる導入孔１２ｆが形成され、フレキシブルパイプ１９の電線貫通金物「ケーブルグランド」１９ａがネジ結合により取り付けられ、着脱が可能でかつ防爆隙間が形成されるように取り付けられる。
【００３５】
なお、フレキシブルパイプ１９は、器具本体１１と端子台ボックス３０を接続するもので、中にケーブルを配し防爆構成とし、両端にケーブルグランド１９ａを有するＩＥＣ整合耐圧防爆形のフレキシブルパイプとして構成されている。
【００３６】
これにより器具本体１１および結線ボックス１８は、耐圧で防爆構造に構成される。（図２(a)）
また、箱体１２ａの側板１２ｂの円形中心部には、リード線導出孔１２ｇが形成され、リード線１２ｈがパッキング等を介して器具本体１１内に導出され、点灯装置１６やダウントランス１７に接続される。
【００３７】
左側の箱体１３ａは、配線ボックス２０を構成するもので、その開口部１３ｃには、蓋体をなす円板状の端板１３ｅがネジ結合によって取り付けられ、着脱が可能でかつ防爆隙間が形成されるように取り付けられ、防爆構造の空間を構成し、一端が着脱可能なボックスとして構成される。
【００３８】
これにより器具本体１１および配線ボックス２０は、耐圧で防爆構造に構成される。（図２（ｂ））
なお、左右の箱体１２ａ、１３ａの端板１２ｅ、１３ｅは、それぞれアルミ鋳物さらにはアルミダイカスト等で一体に成形して構成する。
【００３９】
また、箱体１３ａの側板１３ｂの円形中心部には、リード線導出孔１３ｇが形成され、リード線１３ｈがパッキング等を介して器具本体１１内に導出され、点灯装置１６やダウントランス１７に接続される。
【００４０】
左右の箱体１２ａ、１３ａの下面には、後述するソケットホルダ１４、１５にリード線を導出させるためのリード線導出部１２ｊ、１３ｊを設けてある。
【００４１】
上記により、ボックス１２、１３を器具本体１１の両端部に一体的に連接して設け、一方のボックス１２を結線ボックス１８とし、他方のボックス１３を配線ボックス２０とした耐圧防爆照明器具１０が構成される。
【００４２】
ソケットホルダ１４、１５は、アルミ鋳物さらにはアルミダイカスト等で円筒状をなす箱体１４ａ、１５ａに形成する。
【００４３】
箱体１４ａ、１５ａは、一端を開口してランプ挿通部１４ｂ、１５ｂを設けると共に、他端に開口部１４ｃ、１５ｃを形成し、上面に一体に支持板１４ｄ、１５ｄを一体に形成する。
【００４４】
開口部１４ｃ、１５ｃには、蓋体をなす円板状の端板１４ｅ、１５ｅがネジ結合によって取り付けられ、着脱が可能でかつ防爆隙間が形成されるように取り付けられる。左右の箱体１４ａ、１５ａは同一の形状をなし、共通の部品として構成される。
【００４５】
上記に構成したソケットホルダ１４、１５は、支持板１４ｄ、１５ｄを器具本体１１の下面に形成されたリード線導出部１２ｊ、１３ｊに連通させ、耐圧パッキング等を介在させてボルトで固定する。これによりソケットホルダ１４、１５が器具本体１１の両端部下方に密閉され防爆構成となして設けられる。
【００４６】
ソケットホルダ１４、１５内には、ソケット２１が収納支持され、ランプ挿通部１４ｂ、１５ｂを介してランプ２２が着脱可能に取り付けられる。
【００４７】
ランプ挿通部１４ｂ、１５ｂには、支持リング１４ｆ、１５ｆがネジ結合により着脱可能に取り付けられる。
【００４８】
ソケットホルダ１４、１５のリード線導出部１２ｊ、１３ｊには、結線ボックス１８および配線ボックス２０から導出されたリード線が気密にソケットホルダ１４、１５内に導入され、それぞれのソケット２１に接続されランプ２２に電源が供給される。
【００４９】
ランプ２２は、直管形４０Ｗの蛍光ランプからなり、ランプの外周は透明な硬質ガラスからなる保護管２３で覆われ、保護管の両端は支持リング１４ｆ、１５ｆを締め付けることにより気密になるように支持される。
【００５０】
さらに保護管２３の外周には、強固な鋼線等で格子状に構成したガード２４を設け、保護管およびランプが外力によって衝撃を受け破損しないように保護している。
【００５１】
図中２５は、ステンレス等の金属板からなる反射板で、ソケットホルダ１４、１５を、支持板１４ｄ、１５ｄで器具本体１１の下面にボルトで固定する際に、支持板と器具本体の下面との間に挟み、ソケットホルダ１４、１５の器具本体１１への取り付けと同時に支持される。
【００５２】
また、器具本体１１の上面には、取付部材２６が設けられている。取付部材は、断面Ｌ字形をなす鋼板等の取付金具からなり、左右上端角部に、貫通孔からなる引掛孔２６ａ、２６ａを形成し、図中右方の引掛孔２６ａに隣接してボルト止め用の貫通孔からなる長孔２６ｂを形成する。
【００５３】
図４および図６に示すように、後述するトンネル内の支持構造体４４の貫通された取付孔４４ａに対して、左右の引掛孔２６ａ、２６ａの位置を合わせ、合わされたそれぞれの孔に別途の強固なワイヤからなるＵ字形の引掛け具２６ｃを引っ掛け、耐圧防爆照明器具１０を左右上端角部の２点で懸架して支え、さらに長孔２６ｂからボルト２６ｄを通しナットで固定して、耐圧防爆照明器具１０をトンネル内の支持構造体に強固に取り付けるようになっている。
【００５４】
取付部材２６は、断面Ｌ字形をなす取付金具のＬ字下辺部を、左右の箱体１２ａ、１３ａの上面にボルト２６ｅで固定して取り付ける。
【００５５】
上記により、４０Ｗの蛍光ランプ１灯からなり器具本体１１はダウントランス１７を有し、かつトンネルの支持構造体に懸架し固定される取付部材２６を有するＩＥＣ整合耐圧防爆照明器具１０が構成され、トンネルの支持構造体に取り付けて電源を供給するとダウントランス１７により器具の定格電圧に降圧された入力電圧が点灯装置１６に供給され、ランプ２２が点灯して周囲を照らすと共に、上方に向かう光は反射板２５によって下方に反射され、主としてトンネル下方を明るく照らす耐圧防爆照明器具１０として構成される。
【００５６】
なお、耐圧防爆照明器具１０としては、器具本体１１の内部にダウントランス１７を収納設置しないＩＥＣ整合耐圧防爆照明器具（図示せず）も構成する。
【００５７】
次に、上述した耐圧防爆照明器具を用いた防爆照明装置の構成を説明する。
【００５８】
防爆照明装置５０は、上記に構成された耐圧防爆照明器具１０、耐圧防爆形のフレキシブルパイプ１９および耐圧防爆形の端子台ボックス３０からなる。（図１）
耐圧防爆形のフレキシブルパイプ１９は、上述のように耐圧防爆照明器具１０と端子台ボックス３０を接続するもので、両端にケーブルグランド１９ａを有しＩＥＣ整合耐圧防爆形のフレキシブルパイプとして構成する。
【００５９】
フレキシブルパイプ１９は、作業性や電圧降下等を考慮して１〜１０ｍ、好ましくは１〜５ｍの長さに構成する。
【００６０】
端子台ボックス３０は、フレキシブルパイプ１９の他端と電源線を接続するもので、図３に示すようにアルミダイカストあるいはアルミ鋳物で、短い円筒皿状をなす箱体３０ａに形成する。
【００６１】
箱体３０ａは、一端が閉塞された底面３０ｂを他端に開口部３０ｃを形成し、側壁に連通孔からなる３個の電線導入部を形成する。
【００６２】
電線導入部は、直径方向に対向して形成された電源線の送り配線用の導入部３０ｄ、３０ｅと、この送り配線用の導入部に対し、略直角方向に形成され照明器具１０との配線を行うための器具側導入部３０ｆからなる。
【００６３】
箱体３０ａの内部には、極数３Ｐの端子台３１を底面３０ｂに固定して収納する。
【００６４】
図中３０ｈは、端子台ボックス３０をボルト、ナットで構造体等に取り付けるための４本の支持片で、箱体３０ａの側壁外周面に等間隔に一体に形成する。
【００６５】
次に、上記に構成した端子台ボックス３０の送り配線用の導入部３０ｄ、３０ｅに電源線３２を導入して端子台３１に接続しケーブルグランド３２ａ、３２ａでネジ結合する。（図８）
さらに、フレキシブルパイプ１９の一端を耐圧防爆照明器具１０の結線ボックス１８内に導入孔１２ｆから挿入し、結線ボックス内に予め配置されたリード線と圧着端子などで接続してケーブルグランド１９ａでネジ結合して取り付ける。
【００６６】
さらに、フレキシブルパイプ１９の他端を、端子台ボックス３０の器具側導入部３０ｆに導入し端子台３１に接続しケーブルグランド１９ａでネジ結合する。
【００６７】
さらに箱体の開口部３０ｃに、蓋体３０ｇを被せパッキング等を介しボルトを締め付けることにより気密に封止する。
【００６８】
なお、端子台ボックス３０は、電源線３２のケーブルグランド３２ａ、３２ａおよび蓋体３０ｇが着脱可能でかつ防爆隙間が形成されるように構成され、ＩＥＣ整合の耐圧防爆形の端子台ボックスとして構成される。
【００６９】
上記により、耐圧防爆照明器具１０、耐圧防爆形のフレキシブルパイプ１９および耐圧防爆形の端子台ボックス３０からなる１セットの防爆照明装置５０が構成される。
【００７０】
なお、この防爆照明装置５０を１セットとして防爆の検定を取得する。
【００７１】
次に、上記に構成した防爆照明装置５０を使用して構成するトンネル内の防爆環境用照明システム６０につき説明する。
【００７２】
まず、トンネル４０は、図５に示すようにガス導管Ｇ、電力ケーブルＥ、通信ケーブルＣを配設した洞道や共同溝からなり、直径が約３０００ｍｍ、全長が約８ｋｍである。
【００７３】
トンネル４０内には、低床４０ａに支持部材４１を介してガス導管Ｇが全長にわたり配設されている。
【００７４】
トンネルの内側壁４０ｂには、通信ケーブルＣのケーブルラック４２と電力ケーブルＥのケーブルラック４３が設けられている。
【００７５】
トンネルの内側壁４０ｂおよび上壁４０ｃには、それぞれ支持構造体４４、４４が設けられ、支持構造体は内側壁４０ｂおよび上壁４０ｃの曲面に沿って取り付けられた円弧状をなす断面Ｌ字形の強固な金属からなる構造体で、円形の貫通した取付孔４４ａが円弧に沿って多数形成されている。
【００７６】
取付孔４４ａは、トンネンル内にケーブルラックや火災報知機、その他の構造物をフリーに固定するために使用されるもので、汎用性を持たせた支持構造体を構成するために形成されている。
【００７７】
通信ケーブルＣのケーブルラック４２と電力ケーブルＥのケーブルラック４３は、それぞれ樋状をなして上面に蓋体４２ｂ、４３ｂを有し、樋の下面がサポート部材４２ａ、４３ａで支持されている。
【００７８】
それぞれのサポート部材４２ａ、４３ａは、トンネルの全長にわたり所定の間隔毎に設けられ、内側壁４０ｂに位置する支持構造体４４の取付孔４４ａにボルト、ナットで固定され各ケーブルラック４２、４３がトンネルの全長にわたって支持されている。
【００７９】
次に、上記のように構成されたトンネル４０内に、上述した防爆照明装置５０を設置する構成を説明する。
【００８０】
なお、上記に構成した防爆照明装置５０における耐圧防爆形のフレキシブルパイプ１９および耐圧防爆形の端子台ボックス３０は、耐圧防爆照明器具１０からそれぞれ分離した状態で用意しておく。
【００８１】
電源線３２は、予めケーブルラック４３内に敷設しておく。また、フレキシブルパイプ１９は予め必要な長さのものを構成しておく。
【００８２】
まず、図４および図６に示すように、耐圧防爆照明器具１０をトンネル上壁４０ｃに取り付ける。器具本体１１の上面に取り付けられた取付部材２６の左右の引掛孔２６ａを、トンネルの上壁４０ｃに設けられた支持構造体４４の取付孔４４ａに対して、左右の引掛孔２６ａ、２６ａの位置を合わせ、合わされたそれぞれの孔にＵ字形の引掛け具２６ｃを引っ掛け、耐圧防爆照明器具１０を左右上端角部の２点で懸架して支え、さらに長孔２６ｂからボルト２６ｄを通しナットで固定して、耐圧防爆照明器具１０をトンネル上壁４０ｃの支持構造体４４に取り付ける。ボルト２６ｄは、安全性の観点からＭ６（６ｍｍ）以上のボルトを使用する。
【００８３】
この際、支持構造体４４に多数形成されている取付孔４４ａの内、耐圧防爆照明器具１０がトンネル上壁４０ｃと所定の間隔を有し、かつ水平になる位置の取付孔４４ａを適宜選択し、また長孔２６ｂ内でボルト２６ｄの位置をずらし調整して、耐圧防爆照明器具１０が略水平に位置するようにして取り付ける。
【００８４】
これにより、耐圧防爆照明器具１０がトンネルの横断方向に配設されて取り付けられる。
【００８５】
なお、ダウントランスを有しない耐圧防爆照明器具も同様にして設置される。
【００８６】
次に、上述した耐圧防爆形の端子台ボックス３０を電力ケーブルＥのケーブルラック４３に支持する。
【００８７】
なお、上述のように防爆照明装置５０は、耐圧防爆照明器具１０、耐圧防爆形のフレキシブルパイプ１９および耐圧防爆形の端子台ボックス３０で構成し、この防爆照明装置５０を１セットとして防爆検定を取得することにより、端子台ボックス３０は金属外装ケーブル等を使用しなくてもよいケーブルラック４３内に支持することが可能となる。
【００８８】
図７および図８に示すように、ケーブルラック４３の上部に箱状をなす支持ケース４５を取り付け、支持ケース内に端子台ボックス３０を水平にした状態で収納し、４本の支持片３０ｈを使用してボルト、ナットで固定する。
【００８９】
この際、図８に示すように、端子台ボックス３０を収納する支持ケース４５は、耐圧防爆照明器具１０に対し所定の距離ｂを有してトンネル長手方向にずらして配設する。
【００９０】
これにより、耐圧防爆照明器具１０が端子台ボックス３０の真上に来ないので、耐圧防爆照明器具１０のメンテナンスをするときに作業者自らの影ができず楽に作業が行える。
【００９１】
次に、端子台ボックス３０の蓋体３０ｇを開放した状態で送り配線用の導入部３０ｄ、３０ｅに、予めケーブルラック４３内に設置された電源線３２を挿入し、それぞれ端子台３１に接続する。
【００９２】
さらにフレキシブルパイプ１９の一端を耐圧防爆照明器具１０の結線ボックス１８に接続し、他端を耐圧防爆照明器具１０からトンネル長手方向にずらして配設された端子台ボックス３０に向け、トンネル上壁４０ｃの支持構造体４４からトンネル内側壁４０ｂ、さらに内側壁４０ｂの支持構造体４４に沿わせてケーブルラック４３内に持ち込み、端子台ボックス３０の器具側導入部３０ｆから挿入して端子台３１に接続する。
【００９３】
この際、端子台ボックス３０を収納する支持ケース４５は、耐圧防爆照明器具１０に対し所定の距離ｂを有してトンネル長手方向にずらして配設されているので、曲げに対して自由度の少ないフレキシブルパイプ１９を無理に曲げて、耐圧防爆照明器具１０が端子台ボックス３０の真上に来るように施工する必要がなくなり一層楽な作業になる。
【００９４】
端子台ボックス３０の配線接続が完了したら、それぞれのケーブルグランド１９ａ、３２ａ、３２ａを結合し蓋体３０ｇを被せボルトを締め付けて気密に封止する。
【００９５】
これにより、電力ケーブルＥのケーブルラック４３内に耐圧防爆形の端子台ボックス３０が設置された防爆照明装置５０が構成される。
【００９６】
次に、上記のように構成された防爆照明装置５０を使用して防爆環境用照明システム６０を構成する。
【００９７】
まず、設置する耐圧防爆照明器具は、ダウントラスを有する耐圧防爆照明器具とダウントランスを有しない耐圧防爆照明器具の２機種を用意し、各耐圧防爆照明器具に収納される点灯装置１６の定格電圧は、２４０Ｖ〜１００Ｖに適合するように構成する。
【００９８】
また、図９に示すように、電源部（変電所）Ｐからは４６０Ｖの電圧で電源線３２により送電する。
【００９９】
この際、電源線は約８ｋｍの長距離にわたって設置されるために、電源部からの距離が長くなり遠くなるに従い徐々に電圧降下が生じ、約８ｋｍ先では約１００Ｖに電圧が降下する。
【０１００】
この電圧降下を予め見込んで設定した電源部Ｐからの距離ａより電源部Ｐ側に位置するトンネル内にはダウントランスを有する耐圧防爆照明器具１０Ａを設置し、ダウントランス１７で約２４０Ｖに降圧した電圧で耐圧防爆照明器具１０Ａを作動させる。
【０１０１】
また、予め設定した距離ａから非電源部側となるトンネル内にはダウントランスを有しない定格２４０Ｖ〜１００Ｖ対応の耐圧防爆照明器具１０Ｂを設置し作動させる。
【０１０２】
それぞれの耐圧防爆照明器具１０Ａ、１０Ｂは、図８に示すように、適宜の間隔（本実施例では約１５ｍ）をもって複数台設置して防爆環境用照明システム６０を構成し、各耐圧防爆照明器具１０Ａ、１０Ｂを点灯してトンネル内の照明を行う。
【０１０３】
工事現場においては、ダウントランス１７有り、無しの耐圧防爆照明器具１０Ａ、１０Ｂを使い分けることにより、実質５０８Ｖ〜９６Ｖまでの広い範囲での電圧に対応した電圧フリーの状態で設置工事を行うことができる。
【０１０４】
なお、図９中入力電圧が２４０Ｖ〜１９０Ｖに電圧降下する距離の区間ｂは、ダウントランスを有しない耐圧防爆照明器具１０Ｂを設置した方が価格的に有利であるが、ダウントランスを有する耐圧防爆照明器具１０Ａを設置するようにしてもよい。
【０１０５】
以上、本実施例によれば、器具本体１１は、左右上端角部に引掛孔２６ａを形成し、右方の引掛孔２６ａには隣接して長孔２６ｂを形成した取付部材２６を設けたので、防爆照明器具を左右上端角部の２点で懸架して支え、さらに長孔２６ｂからボルト２６ｄを通しナットで固定することができ、防爆照明器具をトンネル内の支持構造体を利用して簡単かつ確実に取り付けることができる。
【０１０６】
従来ではトンネル天井に設けられたアンカーボルトなどに固定することが一般的であるが、アンカーボルトに固定する作業では、防爆照明器具を支えて保持する人とボルト、ナットを締め付ける人の最低２人が必要となっていた。本実施例によれば、防爆照明器具を左右上端角部の２点で懸架して支えることができ、１人での作業が可能となり、施工性が向上し取り付け作業が容易となる。
【０１０７】
特に、取付部材２６には長孔２６ｂを形成したので、位置をずらして調整することができ、より簡単かつ確実に、防爆照明器具１０を略水平な位置なるように取り付けることができる。
【０１０８】
また、ボルト２６ｄを用いて固定するようにしたので、従来のボルト固定と同等の保持性を有する。
【０１０９】
防爆照明装置５０は、耐圧防爆照明器具１０、耐圧防爆形のフレキシブルケーブル１９および耐圧防爆形の端子台ボックス３０で構成し、この防爆照明装置５０を１セットとして防爆の検定を取得し、耐圧防爆形の端子台ボックス３０を電力ケーブルＥのケーブルラック４３内に支持するように構成したので、金属外装ケーブル等を使用しなくてもよい場所であるケーブルラック４３内での結線が可能となり、電源線などは金属外装をしない比較的安価なＦＣＶ（キャブタイヤチューブ）等、柔らかく取り扱いのし易い電線での結線が可能となり、工事現場での作業性が飛躍的に向上し、コストダウンができる。
【０１１０】
さらに、自由度が高く、防爆照明器具等の取り付け誤差を吸収し易くなる。また重量も軽くなり運搬面での問題も解消することができる。
【０１１１】
従来では端子台ボックスがトンネルの側壁に支持構造体等を使って設置されており、電源線から金属管あるいは防爆対応フレキシブルチューブで保護した電源線を導入して端子台ボックスと結線するか、金属外装ケーブルを使用して導入し結線しなければならなかった。
【０１１２】
このため、電源線のコストが上昇すると共に、これら金属管や金属外装ケーブルは非常に硬いもので、特に曲げ作業等、扱いが難しく困難な作業となり、照明器具の取り付けなどのズレを補正することが困難であり、また重量も重くなることから運搬の面でも問題が生じていた。
【０１１３】
端子台ボックス３０を収納する支持ケース４５は、耐圧防爆照明器具１０に対し所定の距離ｂを有してトンネル長手方向にずらして配設されているので、耐圧防爆照明器具１０が端子台ボックス３０の真上に来ないので、耐圧防爆照明器具１０のメンテナンスをするときに作業者自らの影ができず楽に作業が行える。
【０１１４】
端子台ボックス３０を収納する支持ケース４５は、耐圧防爆照明器具１０に対し所定の距離ｂを有してトンネル長手方向にずらして配設されているので、曲げに対して自由度の少ないフレキシブルパイプ１９を無理に曲げて、耐圧防爆照明器具１０が端子台ボックス３０の真上に来るように施工する必要がなくなり一層楽な作業になる。
【０１１５】
器具本体１１は、内部に点灯装置１６およびダウントランス１７が収納設置されてダウントランスを有する構成としたので、広範囲での電圧フリーな防爆照明器具および防爆環境用照明システムを提供することができる。
【０１１６】
防爆環境用照明システム６０は、設置する耐圧防爆照明器具としてダウンライトを有する耐圧防爆照明器具と、ダウンライトを有しない耐圧防爆照明器具の２機種を用意し、電圧降下を予め見込んで設定した電源部からの距離ａより電源部側に位置するトンネル内にはダウンライトを有する耐圧防爆照明器具１０Ａを設置し、また、予め設定した距離ａから非電源部側となるトンネル内にはダウンライトを有しない耐圧防爆照明器具１０Ｂを設置し作動させるように構成した。
【０１１７】
これにより、工事現場においては、ダウントランス１７有り、無しの２機種の耐圧防爆照明器具１０Ａ、１０Ｂを使い分けることにより、広い範囲での電圧に対応した電圧フリーの状態で設置工事を行うことができ現場での作業が一段と効率化される。
【０１１８】
さらに、高電圧で送電するようにしたので電圧降下にも対応でき、特にケーブル線径としは比較的細いケーブルを使用することが可能となり電線費を大幅に節減できる有効な防爆環境用照明システムが提供できる。
【０１１９】
本実施例において、器具本体１１は、左右上端角部にそれぞれ１個ずつの引掛孔２６ａを形成し、耐圧防爆照明器具１０を左右上端角部の２点で懸架して支えるようにしたが、図中右方の引掛孔２６ａを形成せずに省略し、左方のみＵ字形の引掛具２６ｃで懸架して支え、右方を直接ボルト、ナットで固定するようにしてもよい。
【０１２０】
また、右方の引掛孔２６ａに隣接して長孔２６ｂを形成したが、左方の引掛孔２６ａに隣接して長孔を形成しても、さらに左右の引掛孔２６ａに隣接して長孔を２個形成し、両端部をボルト、ナットで固定するようにしてもよい。
【０１２１】
また、耐圧防爆照明器具１０をトンネル上壁４０ｃの支持構造体４４に取り付けたが、トンネル内側壁４０ｂの支持構造体４４に取り付けるように構成してもよい。
【０１２２】
耐圧防爆形の端子台ボックス３０を電力ケーブルＥのケーブルラック４３内に支持するように構成したが、通信ケーブルＣ用のケーブルラック４２に支持するように構成してもよい。
【０１２３】
また、端子台ボックス３０をケーブルラック内に設置したが、ケーブルラックの側面等、ラックから外方に突出させて設置してもよい。さらに別個の支持金具を使用して、さらに外方に突出させてラックの近傍に設けるようにしてもよい。
【０１２４】
端子台ボックス３０をケーブルラック４３内に水平にした状態で収納したが、垂直方向に収納設置してもよい。
【０１２５】
結線ボックス１８を器具本体１１に一体的に連接して設けたが、例えば、照明器具の吊下具上方に位置するボックス内で結線するように構成してもよい。
【０１２６】
器具本体１１に点灯装置１６およびダウントランス１７を収納設置したが、ダウントランスは器具本体内に収納せずに、別個に設置してもよく、さらにダウントランスを有しない形式の耐圧防爆照明器具を構成するようにしてもよい。
【０１２７】
１セットの防爆環境用照明システムをトンネル内に複数設置して防爆環境用照明システムを構成したが、短いトンネル等においては、ケーブルラック内に耐圧防爆形の端子台ボックスが設置された１セットの防爆環境用照明システムで構成してもよい。
【０１２８】
以上、本発明の好適な実施例を説明したが、本発明は上述の実施例に限定されることなく、本発明の要旨を逸脱しない範囲内において、種々の設計変更を行うことができる。
【図面の簡単な説明】
【０１２９】
【図１】本発明の実施例における防爆照明器具および防爆照明装置を、一部を切り欠いて示す正面図。
【図２】同じく防爆照明器具の要部を示し、（ａ）は図１のＡ部を拡大して示す断面図、（ｂ）は図１のＢ部を拡大して示す断面図。
【図３】同じく防爆照明装置の端子台ボックスを示し、（ａ）は蓋体を外した状態の上面図、（ｂ）は（ａ）のＡ−０−Ｂ線に沿う断面図。
【図４】同じく防爆照明器具の側面を示し、防爆照明器具をトンネルの支持構造体に取り付けた状態を示す側面図。
【図５】同じく防爆環境用照明システムを設置したトンネルの断面図。
【図６】同じく防爆照明器具をトンネルの支持構造体に取り付けた状態を示す正面図。
【図７】同じく防爆照明装置の端子台ボックスをトンネルのケーブルラックに支持した状態を、トンネルの正面から見た断面図。
【図８】同じく防爆照明装置の端子台ボックスをトンネルのケーブルラックに支持した状態の一部を示し、トンネルの側面から見た図７Ａ−Ａ線に沿う断面図。
【図９】同じく防爆環境用照明システムを示し、トンネル長における電圧降下の状況および設置する防爆照明器具の種別を示す説明図。
【符号の説明】
【０１３０】
１０  防爆照明器具
１１  器具本体
１２、１３  ボックス
１４、１５  ソケットホルダ
１６  点灯装置
１７  ダウントランス
１８  結線ボックス
１９  フレキシブルパイプ
２０  配線ボックス
２２  ランプ
３０  端子台ボックス
３２  電源線
４０  トンネル
４３  ケーブルラック
５０  防爆照明装置
６０  防爆環境用照明システム
【図１】
2007311248.tif 000003
【図２】
2007311248.tif 000004
【図３】
2007311248.tif 000005
【図４】
2007311248.tif 000006
【図５】
2007311248.tif 000007
【図６】
2007311248.tif 000008
【図７】
2007311248.tif 000009
【図８】
2007311248.tif 000010
【図９】
2007311248.tif 000011